(57)【要約】【課題】着座者の身体を好適に支持し得る形状を容易に得ることができる椅子用荷重支持部材及び椅子を提供する。【解決手段】椅子用荷重支持部材は、一対のフレーム部材と、第１の荷重受け面を有する第１の板部材と、第２の荷重受け面を有する第２の板部材と、第１の板部材と第２の板部材の間の空間部に配置される中間部材と、を備えている。第１の板部材は、一対のフレーム部材の互いの第１部位１３−１の間に架設されている。第２の板部材は、一対のフレーム部材の第１部位１３−１から長手方向に離間した互いの第２部位１３−２の間に架設されている。第１の板部材と第２の板部材は、椅子幅方向の端部が椅子の側面視で異なる方向を指向するように一対のフレーム部材間に配置されている。【選択図】図４
2017221491.tif 000002
【特許請求の範囲】
【請求項１】
椅子幅方向に離間して配置され、荷重入力方向と交差する長手方向に延出する一対のフレーム部材と、
一対の前記フレーム部材の互いの第１部位の間に架設されているとともに、着座者の荷重を受け止める第１の荷重受け面を有する第１の板部材と、
一対の前記フレーム部材の前記第１部位から長手方向に離間した互いの第２部位の間に架設されているとともに、着座者の荷重を受け止める第２の荷重受け面を有する第２の板部材と、
前記第１の板部材と前記第２の板部材の間の空間部に配置され、その表面が前記第１の荷重受け面と前記第２の荷重受け面との間に位置する中間部材と、を備え、
前記第１の板部材と前記第２の板部材は、椅子幅方向の端部が椅子の側面視で異なる方向を指向するように一対の前記フレーム部材間に配置されることにより、前記第１の荷重受け面と前記第２の荷重受け面と前記中間部材の表面とによって、側面視において屈曲形状、若しくは、湾曲形状をなす全体荷重受け面が構成されていることを特徴とする椅子用荷重支持部材。
【請求項２】
各前記フレーム部材の前記第２部位は、着座者からの荷重入力方向の幅が、前記第１部位寄りの端部の前記荷重入力方向の幅よりも広い拡幅部を有していることを特徴とする請求項１に記載の椅子用荷重支持部材。
【請求項３】
前記第２部位の前記荷重入力方向の手前側辺は、前記第１部位の前記荷重入力方向の手前側辺と連続するように直線状に形成されており、
前記第２部位の前記荷重入力方向の奥側辺は、前記第１部位から離間するほど前記荷重入力方向の幅が漸増するように前記第２部位の前記手前側辺に対して傾斜していることを特徴とする請求項２に記載の椅子用荷重支持部材。
【請求項４】
前記中間部材は、一対の前記フレーム部材同士を連結する連結フレームであることを特徴とする請求項１〜３のいずれか１項に記載の椅子用荷重支持部材。
【請求項５】
前記中間部材は、前記第１の板部材と前記第２の板部材の少なくとも一方の荷重入力方向奥側の面に当接する支持壁を有していることを特徴とする請求項１〜４のいずれか１項に記載の椅子用荷重支持部材。
【請求項６】
請求項１〜５のいずれか１項に記載の椅子用荷重支持部材を備えていることを特徴とする椅子。
【発明の詳細な説明】
【技術分野】
【０００１】
本発明は、背凭れや座等の椅子用荷重支持部材、及び、それを備える椅子に関するものである。
【背景技術】
【０００２】
着座者の背部の荷重を支持する背凭れの構造として、上下方向に延出する一対のフレーム部材に背凭れ本体部がボルト締結や嵌合等によって固定されたものが知られている（例えば、特許文献１，２参照）。
【０００３】
特許文献１に記載の椅子は、上下方向に延出する左右のフレーム部材に、椅子幅方向内側に突出する取付板が溶接等によって固定され、左右の各取付板に背凭れ本体部（背板）がボルト締結されている。
【０００４】
特許文献２に記載の椅子は、上下方向に延出する左右の各フレーム部材に取付溝が設けられ、左右のフレーム部材の取付溝に背面板が嵌合固定されている。背面板の前部には、複数の突部によって背面板の前面に当接する背板が取り付けられている。この椅子においては、背面板と背板が着座者の背部の荷重を左右のフレーム部材に支持させる背凭れ本体部を構成している。
【先行技術文献】
【特許文献】
【０００５】
【特許文献１】特許第４５５１０３０号公報
【特許文献２】特許第５２５９９９４号公報
【発明の概要】
【発明が解決しようとする課題】
【０００６】
ところで、上記の背凭れのような椅子用荷重支持部材は、入力荷重に対する強度を高める目的や、着座感を良好にする目的等のために、着座者の荷重を受け止める荷重受け面が三次元的な湾曲形状や屈曲形状に形成されることがある。
【０００７】
しかしながら、背凭れや座等の椅子用荷重支持部材の荷重受け面の全域を一体部材によって構成すると、椅子用荷重支持部材の製造が難しくなる等の不都合を生じ易い。
【０００８】
そこで本発明は、着座者の身体を好適に支持し得る形状を容易に得ることができる椅子用荷重支持部材、及び、椅子を提供しようとするものである。
【課題を解決するための手段】
【０００９】
本発明に係る椅子用荷重支持部材は、上記課題を解決するために、以下の構成を採用した。
即ち、本発明に係る椅子用荷重支持部材は、椅子幅方向に離間して配置され、荷重入力方向と交差する長手方向に延出する一対のフレーム部材と、一対の前記フレーム部材の互いの第１部位の間に架設されているとともに、着座者の荷重を受け止める第１の荷重受け面を有する第１の板部材と、一対の前記フレーム部材の前記第１部位から長手方向に離間した互いの第２部位の間に架設されているとともに、着座者の荷重を受け止める第２の荷重受け面を有する第２の板部材と、前記第１の板部材と前記第２の板部材の間の空間部に配置され、その表面が前記第１の荷重受け面と前記第２の荷重受け面との間に位置する中間部材と、を備え、前記第１の板部材と前記第２の板部材は、椅子幅方向の端部が椅子の側面視で異なる方向を指向するように一対の前記フレーム部材間に配置されることにより、前記第１の荷重受け面と前記第２の荷重受け面と前記中間部材の表面とによって、側面視において屈曲形状、若しくは、湾曲形状をなす全体荷重受け面が構成されていることを特徴とする。
【００１０】
本発明の場合、着座者の荷重を受け止める荷重受け面の一部が、一対のフレーム部材に別々に架設される第１の板部材と第２の板部材の第１の荷重受け面と第２の荷重受け面によって構成されることになる。第１の板部材と第２の板部材の椅子幅方向の端部は、椅子の側面視で異なる方向を指向するように一対のフレーム部材間に配置されているため、第１の板部材や第２の板部材に形成する曲げや湾曲を抑制しつつ、全体荷重受け面（第１の荷重受け面，第２の荷重受け面，中間部材の表面を合わた荷重受け面）を所望の三次元形状にすることができる。また、第１の板部材と第２の板部材の間の空間部が中間部材によって狭められているため、着座者が第１の板部材と第２の板部材の間で不連続感を感じにくくなるとともに、第１の板部材と第２の板部材の間に衣服や物品が挟まりにくくなる。
【００１１】
各前記フレーム部材の前記第２部位は、着座者からの荷重入力方向の幅が、前記第１部位寄りの端部の前記荷重入力方向の幅よりも広い拡幅部を有していても良い。
この場合、第２の板部材が架設されるフレーム部材の第２部位が拡幅部を有しているため、第２の板部材の椅子幅方向の端部を第１の板部材の椅子幅方向の端部に対して大きく傾斜させて配置する場合にも、第２の板部材の椅子幅方向の端部の一部を拡幅部に配置することにより、第２の板部材が第２部位の荷重入力方向の前後にはみ出るのを抑制することができる。したがって、この構成を採用することにより、全体荷重受け面を、着座者の身体を好適に支持し得る所望の形状に容易に形成することができるとともに、見栄えを向上させることができる。
【００１２】
前記第２部位の前記荷重入力方向の手前側辺は、前記第１部位の前記荷重入力方向の手前側辺と連続するように直線状に形成されており、前記第２部位の前記荷重入力方向の奥側辺は、前記第１部位から離間するほど前記荷重入力方向の幅が漸増するように前記第２部位の前記手前側辺に対して傾斜していることが望ましい。
この場合、フレーム部材の第２部位の荷重入力方向の手前側辺が、第１部位の荷重入力方向の手前側辺と連続するように直線状に形成されているため、着座者に面する側に突出部分が生じにくい。このため、第２部位の荷重入力方向の手前側辺に対して着座者や歩行者が当接しにくくなり、椅子の使い勝手が向上する。また、第２部位の荷重入力方向の奥側辺が手前側辺に対して傾斜することにより、第２部位の荷重入力方向の幅が漸増するように拡幅部が形成されているため、フレーム部材の見栄えも向上する。
【００１３】
前記中間部材は、一対の前記フレーム部材同士を連結する連結フレームであっても良い。
この場合、第１板部材と第２板部材の間に配置される中間部材が、一対のフレーム部材を連結する連結フレームとしても機能するため、一対のフレーム部材と中間部材が協働して堅牢な構造体を構成する。したがって、この構成を採用することにより、部品点数の増加を抑制しつつ、椅子用荷重支持部材全体の剛性を高めることができる。
【００１４】
前記中間部材は、前記第１の板部材と前記第２の板部材の少なくとも一方の荷重入力方向奥側の面に当接する支持壁を有していることが望ましい。
この場合、前記中間部材の支持壁で第１の板部材と第２の板部材の少なくとも一方の入力荷重を受け止めることができる。したがって、この構成を採用することにより、第１の板部材や第２の板部材の強度維持のための肉厚増加や曲げ等を無くし、若しくは、少なくしつつ、第１の板部材や第２の板部材に入力される着座者の荷重を高い強度で支持することができる。
【００１５】
また、本発明に係る椅子は、上記課題を解決するために、上記いずれかの椅子用荷重支持部材を備えていることを特徴とする。
【発明の効果】
【００１６】
本発明によれば、着座者の荷重を受け止める荷重受け面の一部が、第１の板部材の第１の荷重受け面と第２の板部材の第２の荷重受け面とによって構成され、第１の板部材と第２の板部材の間の空間部に中間部材が配置されているとともに、第１の板部材と第２の板部材の椅子幅方向の端部が、椅子の側面視で異なる方向を指向するように一対のフレーム部材間に配置されていることにより、第１の荷重受け面と第２の荷重受け面と中間部材の表面とによって、側面視において屈曲形状、若しくは、湾曲形状をなす全体荷重受け面が構成されている。このため、着座者の身体を好適に支持し得る形状を容易に得ることができる。
また、本発明によれば、第１の板部材と第２の板部材の間の空間部に中間部材が配置されているため、着座者が第１の板部材と第２の板部材の間で不連続感を感じにくくなるとともに、第１の板部材と第２の板部材の間に衣服や物品が挟まりにくくなる。したがって、本発明を採用することにより、着座時における快適性を高めることができる。
【図面の簡単な説明】
【００１７】
【図１】本発明の一実施形態に係る椅子の斜視図である。
【図２】本発明の一実施形態に係る椅子の斜視図である。
【図３】本発明の一実施形態に係る椅子の正面図である。
【図４】本発明の一実施形態に係る椅子の側面図である。
【図５】本発明の一実施形態に係る椅子の分解斜視図である。
【図６】本発明の一実施形態に係る椅子の背面図である。
【図７】本発明の一実施形態に係る椅子の図６のＶＩＩ−ＶＩＩ線に沿う断面図である。
【図８】本発明の一実施形態に係る椅子の図６のＶＩＩＩ−ＶＩＩＩ線に沿う断面図である。
【図９】本発明の一実施形態に係る椅子の図６のＩＸ−ＩＸ線に沿う断面図である。
【発明を実施するための形態】
【００１８】
以下、本発明の一実施形態を図面に基づいて説明する。
本実施形態に係る椅子１０は、競技場や劇場、講堂等に設置される椅子である。なお、以下の説明において、前後、左右、上下の各呼称は、特別に断らない限り、着座者が椅子１０に正規姿勢で着座したときにおける着座者を中心とした向きと合致する向きを意味するものとする。本実施形態において、椅子幅方向とは椅子１０の左右方向を意味する。
また、各図面の適所には、着座者を中心とした上方、前方、左側方を指す矢印ＵＰ，ＦＲ，ＬＨが記されている。
【００１９】
図１は、競技場等の段床１に設置された本実施形態に係る椅子１０を前側左斜め上方から見た図であり、図２は、同様に段床１に設置された椅子１０を後側右斜め上方から見た図である。また、図３は、椅子１０を正面から見た図であり、図４は、椅子１０を右側方から見た図である。
本実施形態に係る椅子１０は、段床１の任意の段部の前部側に設置されている。本実施形態の場合、椅子１０は複数個が組になって横並びに配置されている。組をなす複数の椅子１０は、段床１に固定設置された金属製の梁部材２に支持固定されている。梁部材２は、矩形状の断面形状が左右方向に延出している。梁部材２は、複数のブラケット３によって段床１の段部の前面１ａに固定されている。梁部材２と複数のブラケット３は、複数個の椅子１０を段床１に設置する設置ベースを構成している。
なお、本実施形態においては、梁部材２とブラケット３を含む設置ベースが段床１の前面に固定されているが、設置ベースは段床１の上面に固定されるようにしても良い。この場合、梁部材を後述する側部フレーム１３等の脚部材と一体構造として、梁部材と脚部材とによって設置ベースを構成するようにしても良い。
【００２０】
本実施形態に係る椅子１０は、着座者の背部及び腰部を支持する背凭れ１１と、着座者の臀部及び腿部を支持する座１２を備えている。
背凭れ１１は、椅子１０の幅方向に離間して配置される一対の側部フレーム１３（フレーム部材）と、左右の側部フレーム１３の長手方向の略中央部同士を連結する連結フレーム１４（中間部材）と、連結フレーム１４の上部側で左右の側部フレーム１３に架設される第１の背板部材１５（第１の板部材）と、連結フレーム１４の下部側で左右の側部フレーム１３に架設される第２の背板部材１６（第２の板部材）と、を備えている。
本実施形態においては、背凭れ１１が椅子用荷重支持部材を構成している。
【００２１】
左右の側部フレーム１３と連結フレーム１４は、断面略矩形状の金属部材によって形成されている。左右の側部フレーム１３の各下端部は梁部材２に嵌合状態で固定されている。左右の側部フレーム１３は、鉛直方向に対して上部側が後方に所定角度傾斜した状態で設置されている。
また、本実施形態の場合、第１の背板部材１５と第２の背板部材１６は合板等の木材によって形成されている。ただし、第１の背板部材１５と第２の背板部材１６の形成材料は、木材に限らず樹脂等の他の材料であっても良い。
【００２２】
座１２は、椅子１０の幅方向に離間して配置される一対の側部フレーム１７と、左右の側部フレーム１７に架設される座板部材１８と、左右の側部フレーム１７に結合されて、側部フレーム１７と座板部材１８を支持する略コ字状のベースフレーム１９を備えている。左右の側部フレーム１７とベースフレーム１９は金属材料によって形成されている。座板部材１８は、合板等の木材や樹脂等によって形成されている。座１２は、ベースフレーム１９の基端部が回動機構２０を介して背凭れ１１の左右の側部フレーム１３に回動可能に支持されている。回動機構２０は、左右の側部フレーム１３の下端部の近傍に配置されている。座１２は、略水平に前方に倒れた着座位置と、背凭れ１１に沿うように上方に跳ね上がった格納位置との間を回動変位する。回動機構２０は、座１２を格納位置方向に付勢する図示しない付勢スプリングを有している。
【００２３】
図３，図４に示すように、背凭れ１１の左右の側部フレーム１３の椅子幅方向の内側の面には、第１の背板部材１５の椅子幅方向の端部が嵌合固定される第１の嵌合溝２１と、第２の背板部材１６の椅子幅方向の端部が嵌合固定される第２の嵌合溝２２が形成されている。第１の嵌合溝２１と第２の嵌合溝２２は、側部フレーム１３の長手方向に離間して配置されている。第１の背板部材１５は、椅子幅方向の両端部が左右の対応する側部フレーム１３の第１の嵌合溝２１に嵌合されることにより、左右の側部フレーム１３の上部領域間に架設されている。同様に、第２の背板部材１６は、椅子幅方向の両端部が左右の対応する側部フレーム１３の第２の嵌合溝２２に嵌合されることにより、左右の側部フレーム１３の下部領域間に架設されている。左右の側部フレーム１３に架設された第１の背板部材１５と第２の背板部材１６の間には椅子幅方向に長い略矩形状の空間部が形成されることになるが、その空間部は連結フレーム１４によって閉塞されている。
なお、本実施形態の場合、着座者の背部に臨む連結フレーム１４の前面は、第１の背板部材１５と第２の背板部材１６の間の空間部において、第１の背板部材１５と第２の背板部材１６の対向部の前面に対して後方側に若干窪んで配置されている。
【００２４】
本実施形態においては、図４に示すように、左右の側部フレーム１３のうちの、第１の嵌合溝２１が形成されている長手方向の領域が第１部位１３−１を構成し、第２の嵌合溝２２が形成されている長手方向の領域が第２部位１３−２を構成している。また、連結フレーム１４は、第１の背板部材１５（第１の板部材）と第２の背板部材１６（第２の板部材）の間の空間部に配置され、その表面が第１の背板部材１５と第２の背板部材１６の荷重受け面の間に位置する中間部材を構成している。
【００２５】
左右の側部フレーム１３は、図４に示すように、上端部から長手方向の略中央部に亘る領域（第１部位１３−１を含む領域）は荷重入力方向の幅（前後方向の幅）が略一定幅に形成されており、長手方向の略中央部から下端部に亘る領域（第２部位１３−２を含む領域）は、下端に向かって荷重入力方向の幅が漸増するように形成されている。
【００２６】
より詳細には、左右の側部フレーム１３の荷重入力方向の手前側辺ａ−１（前方側の辺）は、最下端部を除くほぼ全域が直線状に形成されいる。一方、左右の側部フレーム１３の荷重入力方向の奥側辺ａ−２（後方側の辺）は、上端部から長手方向の略中央部に亘る領域では荷重入力方向の手前側辺ａ−１と略平行に形成され、長手方向の略中央部から下端部に亘る領域では荷重入力方向の手前側辺ａ−１に対して設定角度αだけ傾斜している。荷重入力方向の奥側辺ａ−２の長手方向の略中央部から下端部に亘る領域の傾斜は、下方に向かうほど側部フレーム１３の荷重入力方向の幅が漸増するように傾斜している。
【００２７】
したがって、第２部位１３−２の手前側辺ａ−１は、第１部位１３−１の荷重入力方向の手前側辺ａ−１と連続するように直線状に形成されており、第２部位１３−２の荷重入力方向の奥側辺ａ−２は、第１部位１３−１から離間するほど荷重入力方向の幅が漸増するように第２部位１３−２の手前側辺ａ−１に対して傾斜している。本実施形態においては、第２部位１３−２の上端部を除くほぼ全域が、荷重入力方向の幅が第１部位１３−１寄りの端部の荷重入力方向の幅よりも広い拡幅部２３を構成している。
なお、本実施形態においては、第２部位１３−２の上端部を除くほぼ全域が拡幅部２３を構成しているが、拡幅部２３は、第２部位１３−２の一部のみを荷重入力方向の奥側や手前側に膨出させて構成することも可能である。
【００２８】
左右の側部フレーム１３の互いの第１部位１３−１の間に架設される第１の背板部材１５は、その前面側領域が着座者の背部の上半部側の荷重を受け止める第１の荷重受け面１５ａとされている。また、左右の側部フレーム１３の互いの第２部位１３−２の間に架設される第２の背板部材１６は、その前面側の領域が着座者の背部の下半部側の荷重を受け止める第２の荷重受け面１６ａとされている。第１の荷重受け面１５ａと第２の荷重受け面１６ａは、椅子１０の上面視で椅子幅方向の中央領域が後方側に緩やかに凹状に窪むように湾曲している。この実施形態の場合、第１の背板部材１５と第２の背板部材１６の椅子幅方向の両端部は一定幅で、かつ略上下方向に直線状に延出している。
【００２９】
ところで、左右の側部フレーム１３の第１の嵌合溝２１と第２の嵌合溝２２は、第１の背板部材１５と第２の背板部材１６の椅子幅方向の両端部と同様に一定幅で、かつ略上下方向に直線状に延出している。ただし、第１の嵌合溝２１と第２の嵌合溝２２の延出方向は、椅子１０の側面視で互いに異なる方向を指向するように形成されている。より詳細には、第１の嵌合溝２１は、側部フレーム１３の手前側辺ａ−１と略平行になるように延出しており、これに対し、第２の嵌合溝２２は、側部フレーム１３の手前側辺ａ−１に対して後方側に設定角度αだけ傾斜するように延出している。
したがって、第１の嵌合溝２１に嵌合された第１の背板部材１５の椅子幅方向の端部と、第２の嵌合溝２２に嵌合された第２の背板部材１６の椅子幅方向の端部とは、椅子１０の側面視で異なる方向を指向するように配置されている。具体的には、第２の背板部材１６の椅子幅方向の端部が、第１の背板部材１５の椅子幅方向の端部に対して後下方に設定角度αだけ傾斜するように配置されている。これにより、本実施形態に係る背凭れ１１は、第１の荷重受け面１５ａと、第２の荷重受け面１６ａと、中間部材である連結フレーム１４の表面と、によって全体荷重受け面が構成されている。全体荷重受け面は、側面視において屈曲形状、若しくは、湾曲形状をなしている。
【００３０】
図５は、背凭れ１１の右側の側部フレーム１３と連結フレーム１４の結合部を分解して示した図であり、図６は、背凭れ１１を後方側から見た図である。また、図７〜図９は、図６に示す背凭れ１１の各部を断面にして示した図である。
連結フレーム１４の椅子幅方向の両側の端縁には、荷重入力方向の奥側寄り（後方側寄り）部分から上方と下方に延出する一対の支持壁２４が延設されている。各支持壁２４の椅子幅方向の外側端面は平坦に形成され、側部フレーム１３の椅子幅方向の内側側面に当接するようになっている。また、連結フレーム１４の椅子幅方向の両側の端縁には、上下の支持壁２４の略中間位置において、支持壁２４よりも荷重入力方向の奥側（後方側）に山形状に突出する突出部２５が形成されている。突出部２５の椅子幅方向の外側端面は、連結フレーム１４の一般部１４ａの端面と連続するように平坦に形成され、これらの端面が側部フレーム１３の椅子幅方向の内側側面に当接するようになっている。突出部２５の椅子幅方向の外側端面にはねじ穴２６が形成されており、連結フレーム１４の一般部１４ａの端面には位置決め突起２７が突設されている。
【００３１】
また、左右の側部フレーム１３の長手方向の略中央部には、荷重入力方向の奥側の面（後面）から荷重入力方向の奥側（後方側）に向かって山形状に突出する突出部２８（フレーム側突出部）が形成されている。突出部２８の椅子幅方向の内側の側面は、側部フレーム１３の一般部の椅子幅方向の内側の側面と面一に形成され、連結フレーム１４の突出部２５の椅子幅方向の外側端面に当接するようになっている。側部フレーム１３の突出部２８には、連結フレーム１４の突出部２５のねじ穴２６に対応する挿通孔２９が形成されている。また、側部フレーム１３の椅子幅方向の内側の側面のうちの、連結フレーム１４の位置決め突起２７に対応する位置には、位置決め穴４０（図８参照）が形成されている。
【００３２】
連結フレーム１４の椅子幅方向の両端部は、左右の側部フレーム１３の椅子幅方向の内側側面に突き合わせられ、対応する側部フレーム１３の位置決め穴４０に位置決め突起２７を嵌合した状態において、突出部２５のねじ穴２６とそれに対応する側部フレーム１３の挿通孔２９とが位置合わせされる。この状態において、挿通孔２９を通して連結フレーム１４側のねじ穴２６にねじ３０の軸部が挿入され、ねじ３０がねじ穴２６に対して締め込まれる。これにより、連結フレーム１４の椅子幅方向の両端部は対応する左右の側部フレーム１３に締結固定されている。
【００３３】
連結フレーム１４は、上述のようにして側部フレーム１３に締結固定されると、椅子幅方向の端部の上下の支持壁２４が、それぞれ第１の背板部材１５の配置領域と第２の背板部材１６の配置領域とに突出する。こうして、第１の背板部材１５と第２の背板部材１６の各配置領域に突出した支持壁２４は、左右の側部フレーム１３の椅子幅方向の内側位置において、これらの前面が、第１の背板部材１５と第２の背板部材１６の各背面（荷重入力方向奥側の面）に当接するようになっている。
【００３４】
なお、本実施形態においては、第１の背板部材１５と第２の背板部材１６の荷重入力方向奥側の面に当接するように支持壁２４が連結フレーム１４に設けられているが、第１の背板部材１５と第２の背板部材１６のいずれか一方の荷重入力方向奥側の面にのみ当接するように支持壁２４を連結フレーム１４に設けるようにしても良い。
【００３５】
以上のように本実施形態に係る椅子１０の背凭れ１１は、着座者の背部の荷重を受け止める荷重受け面の一部が、左右の側部フレーム１３の上下に離間した二位置にそれぞれ架設された第１の背板部材１５と第２の背板部材１６の第１の荷重受け面１５ａと第２の荷重受け面１６ａによって構成され、第１の背板部材１５と第２の背板部材１６の間の空間部に中間部材である連結フレーム１４が配置されているとともに、第１の背板部材１５と第２の背板部材１６の椅子幅方向の端部が、椅子１０の側面視で異なる方向を指向するように左右の側部フレーム１３の間に配置されている。そして、本実施形態に係る背凭れ１１は、第１の荷重受け面１５ａと第２の荷重受け面１６ａと連結フレーム１４の表面とによって、側面視において屈曲形状、若しくは、湾曲形状をなす全体荷重受け面を構成している。このため、第１の背板部材１５や第２の背板部材１６に設ける曲げや湾曲を少なく抑えつつも、背凭れ１１の荷重受け面全体を所望の三次元形状にすることができる。
加えて、本実施形態に係る椅子１０の背凭れ１１は、第１の背板部材１５と第２の背板部材１６に間にできる空間部が、中間部材である連結フレーム１４によって閉塞されているため、着座者が背凭れ１１に凭れかかったときに、第１の背板部材１５と第２の背板部材１６に間で不連続感を感じにくくなり、また、衣類や物品が第１の背板部材１５と第２の背板部材１６の間に挟まるのを連結フレーム１４によって抑制することができる。
したがって、本実施形態に係る構成を採用することにより、所望の三次元形状の荷重受け面を持つ背凭れ１１を容易に形成することができるとともに、着座時における快適性を高めることができる。
【００３６】
また、本実施形態に係る背凭れ１１は、左右の側部フレーム１３の第２部位１３−２が、荷重入力方向の幅が第１部位１３−１寄りの端部の荷重入力方向の幅よりも広い拡幅部２３を有している。このため、第２の背板部材１６の椅子幅方向の端部を第１の背板部材１５の椅子幅方向の端部に対して前後に大きく傾斜させて配置する場合にも、第２の背板部材１６の椅子幅方向の端部の一部を拡幅部２３に配置することにより、第２の背板部材１６の椅子幅方向の端部を、第２部位１３−２の前後からはみ出ることなく余裕をもって側部フレーム１３に架設することができる。したがって、本実施形態に係る構造を採用した場合、荷重受け面を、着座者の身体を好適に支持し得る所望の形状に容易に形成することができるとともに、見栄えを向上させることができる。
【００３７】
特に、本実施形態に係る背凭れ１１においては、第２部位１３−２の荷重入力方向の手前側辺ａ−１が、第１部位１３−１の荷重入力方向の手前側辺ａ−１と連続するように直線状に形成され、その一方で第２部位１３−２の荷重入力方向の奥側辺ａ−２が、第１部位１３−１から離間するほど荷重入力方向の幅が漸増するように第２部位１３−２の手前側辺ａ−１に対して傾斜している。これにより、第２部位１３−２の第１部位１３−１寄りの端部を除くほぼ全域は、荷重入力方向の幅が漸増する拡幅部２３とされている。このため、着座者や歩行者に面する側部フレーム１３の手前側辺ａ−１が全域で直線状になって前方に突出する部分が少なくなり、着座者や歩行者が手前側辺ａ−１部分に引っ掛かりにくくなる。したがって、背凭れ１１を含む椅子１０の使い勝手が向上する。
また、本実施形態に係る背凭れ１１では、第２部位１３−２の荷重入力方向の奥側辺ａ−２が手前側辺ａ−１に対して傾斜することにより、第２部位１３−２の荷重入力方向の幅が漸増するように拡幅部２３が形成されているため、側部フレーム１３の見栄えも向上する。
【００３８】
なお、本実施形態に係る背凭れ１１においては、第１の背板部材１５と第２の背板部材１６の間の空間部が連結フレーム１４によって閉塞されているが、第１の背板部材１５と第２の背板部材１６の間の空間部は、左右の側部フレーム１３同士を連結する連結フレーム１４以外の部材によって閉塞するようにしても良い。
ただし、本実施形態のように、第１の背板部材１５と第２の背板部材１６の間の空間部が連結フレーム１４によって閉塞されるようにした場合には、空間部を閉塞する閉塞部材を兼ねる連結フレーム１４が左右の側部フレーム１３と協働して堅牢な構造体を構成することになる。したがって、本実施形態に係る構成を採用した場合には、部品点数の増加を抑制しつつ、背凭れ１１全体の剛性を高めることができる。
【００３９】
さらに、本実施形態に係る背凭れ１１においては、中間部材を兼ねる連結フレーム１４が、第１の背板部材１５と第２の背板部材１６の荷重入力方向奥側の面に当接する支持壁２４を有している。このため、着座者の背部から第１の背板部材１５や第２の背板部材１６に入力される荷重を左右の側部フレーム１３だけでなく、側部フレーム１３よりも椅子幅方向内側に配置されている支持壁２４によっても受け止めることができる。したがって、この構成を採用した場合には、第１の背板部材１５や第２の背板部材１６の強度維持のための肉厚増加や曲げ形状を無くし、若しくは、少なくしつつ、第１の背板部材１５や第２の背板部材１６に入力される着座者の背部荷重を高い強度で支持することができる。
【００４０】
なお、本発明は上記の実施形態に限定されるものではなく、その要旨を逸脱しない範囲で種々の設計変更が可能である。例えば、上記の実施形態においては、両端部が左右の側部フレーム１３に連結された連結フレーム１４によって中間部材が構成されているが、中間部材は、この形態に限られるものではなく、椅子幅方向の中央部から左右に延出するとともに第１の背板部材１５と第２の背板部材１６の少なくとも一方に連結されるようにしても良い。
また、第１の背板部材１５と第２の背板部材１６の間に配置される中間部材の側面断面形状は、荷重受け面側から逆側に向けて（前部から後部に向けて）上下幅が狭くなる形状（例えば、三角形状や台形形状、段差形状）であっても良い。
また、上記の実施形態においては、椅子用荷重支持部材の一例として背凭れを挙げているが、本発明に係る椅子用荷重支持部材は、座であっても良い。
【符号の説明】
【００４１】
１０  椅子
１１  背凭れ（椅子用荷重支持部材）
１３  側部フレーム（フレーム部材）
１３−１  第１部位
１３−２  第２部位
１４  連結フレーム（中間部材）
１５  第１の背板部材（第１の板部材）
１５ａ  第１の荷重受け面
１６  第２の背板部材（第２の板部材）
１６ａ  第２の荷重受け面
２３  拡幅部
２４  支持壁
ａ−１  手前側辺
ａ−２  奥側辺
【図１】
2017221491.tif 000003
【図２】
2017221491.tif 000004
【図３】
2017221491.tif 000005
【図４】
2017221491.tif 000006
【図５】
2017221491.tif 000007
【図６】
2017221491.tif 000008
【図７】
2017221491.tif 000009
【図８】
2017221491.tif 000010
【図９】
2017221491.tif 000011